(57)【要約】      （修正有）【課題】用水路側で進入防止を計ることにより、水田側にジャンボタニシを入らせない安価な器具を提供する。【解決手段】対の型枠材を用い、金網を挟み込み固定し、半円形状に形成させ、さらに型枠材を用いて下部からの進入防止部を設ける。伸縮を調整固定できる機能を備えた伸縮自在の棒体で形成された本体Ａ固定用補助具８．９を用いて、取水口Ｃと反対側の用水路Ｂの側壁Ｈの反発力を利用し、補助具８．９の両端の片方の端を側壁Ｈに押しあて、本体Ａを取水口Ｃを覆い囲むように取り付け固定する。取水口正面に対しては、網目の本体であるが、水の流れに対しては、平行で壁状態となることから、水の流れの力を利用し、その壁にそって、下流に押し流させ水路側で進入を防ぐことで目的を達成する。【選択図】図２
0003167910.tif 000002
【実用新案登録請求の範囲】
【請求項１】
水田に於けるジャンボタニシによる食害を防止する器具であって、用水路の取水口を覆い囲む型枠材と該型枠材で包囲された立体状の網とで本体を構成し、その本体を取水口と反対側の側壁との間で弾発力を有し、伸縮を調整固定できる機能を備えた伸縮自在の棒状の棒体で形成された本体固定用補助具を介在させ本体に押し付け、取水口を覆い囲み取り付け固定させることを特徴とするジャンボタニシ食害防止具
【請求項２】
請求項１の本体を半円形状にしたことを特徴とするジャンボタニシ食害防止具
【請求項３】
請求項１の本体を台形状にしたことを特徴とするジャンボタニシ食害防止具
【請求項４】
請求項１〜３のいずれか１項に記載のジャンボタニシ食害防止具の本体の下部をスカート状に形成させたことを特徴とするジャンボタニシ食害防止具
【考案の詳細な説明】
【技術分野】
【０００１】
本考案は農業分野、水稲作において、ジャンボタニシによる食害を防止することに関する。
【背景技術】
【０００２】
従来の水稲生産において、植え付け前の準備作業の１つの代あけ作業時、大量の水を、しかも一時に必要とすることから、水の流れに乗って移動するジャンボタニシの水田への進入防止は容易でなく、１部水田側に金網等を設け、その手段としている方法が見受けられるが水路近辺の除草作業による切られた草がゴミと化し、すぐにもゴミづまりの問題が
発生、止水することになり、手段としての機能を果たすことなく現在に至っている。
【０００３】
又、上記ゴミ問題は一度たまると下流への水の流れを遮断する重大な問題をかかえていることから用水路に設ける構造物は絶えずその問題と向き合うこととなり、水路側における対策は皆無である。
【０００４】
したがって捕殺や薬剤による駆除が主となっている。
【０００５】
しかし、すさまじいジャンボタニシの繁殖力に立ち向かう時、補殺は大変な労力を要し、又、薬剤の効力は一時的で対策が追いつかず野放し状態である。
【考案の概要】
【考案が解決しようとする課題】
【０００６】
上記問題点に鑑みてなされたものであり、本考案の目的は用水路側で進入防止を計ることにより、水田側にジャンボタニシを入らせない安価な器具を提供することにある。
【課題を解決するための手段】
【０００７】
対の型枠材、１．１’２．２’３．３’４．４’５．５’を用い、金網を挟み込み固定、半円形状に形成させ、さらに型枠材６．６’を用いて下部からの進入防止部Fを設ける。弾発力を有し伸縮を固定させる機能を備えた伸縮自在の棒状の棒体で形成された本体Ａ固定用補助具８．９を用い、取水口Ｃと反対側の用水路Ｂの側壁Hとの幅を調節し補助具８．９の端を側壁Hに押しあて本体Ａを取水口Ｃを覆い囲むように取り付け固定する。取水口正面に対しては、網目の本体は正対し、水の流れに対しては、平行となることから、ほぼ壁状態となる。水の流れの力を利用、その壁にそって、下流に押し流させ水路側で進入を防ぐことにより問題解決にあたる。  
【考案の効果】
【０００８】
本考案は、水の取り入れ口を広く覆い囲むことにより、大量の水の導入を計る時に発生する水田側からの吸水圧力を分散させる。又、半円形状に形成された本体は、取水口正面に対しては網目でも水の流れに対しては、ほぼ平行になることから平行状態となり、ゴミ及びジャンボタニシは引っかかることがなく、壁にそって下流に押し流される。
【０００９】
また、水稲は植え付けから収穫に至る約４ケ月の長期に渡り水管理が必要となる。その九割部分で少量の水導入で管理がなされる。つまりシャッターの開きが小さく管理される。その場合、ジャンボタニシを含めたゴミ類がすぐにも目詰まりを発生させ常時目配りが必要となっている。本案実施においては上述のとおりゴミ類の侵入を阻止できることで目詰まりが防げシャッターの開きの管理の労力から解放されるという二次効果を生むこととなった。
【図面の簡単な説明】
【００１０】
【図１】本案実施に於いて、本体Aに接着剤を用い壁側Hに設置した斜視図である。
【図２】本案実施に於いて、下部をスカート状Ｇに形成させた本体を取水ますMに固定用補助具８と９を用い設置した斜視図である。
【図３】本案実施に於いて、型枠材を用い、網を半円形状に形成させる時の、挟み込み状況の参考例斜視図である。
【図４】本案実施に於いて、ジャンボタニシの底辺部からの進入防止を計るための、下部をスカート状Gに形成させた本体斜視図である。
【図５】本案実施に於いて、本体下部に網を形成させた進入防止部Fを設けた斜視図である。
【図６】本案実施に於いて、本体を台形状Jに形成させ取水口Ｃに設置した上部からの断面図である。
【図７】本案実施に於いて、半円形状に形成された本体の最大幅であり、先端部１０を示す上部断面図である。
【図８】本案実施に於いて、取水ますＭや、Ｕ字溝Ｂの数パーセントの傾きによって形成されている側壁から生じる底部と本体との開きを示した断面図である。
【考案を実施するための形態】
【００１１】
図５に示す様に一対の型枠材１．１’２．２’３．３’４．４’５．５’を用い型枠材の間に金網を挟み込み固定半円形状に形成させる。さらに型枠材６．６’を用い本体Ａの下部からの進入防止部Ｆを設ける。
以上形成された本体Ａを取水ますＭに用いられた取水口Ｃのシャッター部Ｄを覆い囲む様に押しあて、伸縮を固定させる機能を備えた伸縮自在の棒状の棒体で形成された固定用補助具８と９を用いて取水ますＭの反対側内壁Ｅの反発力を利用し固定させる。（図2参照）
金網で形成された本体は、全くといっていい程水の抵抗を発生させず、わずかな力で固定できる。又、半円形状に形成させた本体Ａの両端Ｅ．Ｅ’を基軸とした時、シャッター部Ｄからの最大幅１０は、できるだけ小さいほうが望ましいが、水田側からの吸水圧をさける幅が求められる。
【００１２】
本体に用いられる網について、網は網状のものであれば材質を問わず、全て用いることができるが、試験設置の結果からは、水の流れの妨げの問題から金網仕様が望ましい。ただしその場合腐食の問題を考慮したとき、金網交換ができる型枠構造が望ましい。
【００１３】
上記（００１０）記述の型枠構造の場合、図４で示す本体下部をゴムや化繊等軟弱な材質を用いたスカート状形成が望ましい。
【００１４】
本体固定方法について、図２で示す様に補助具８．９を用いる方法や、図１で示す様に接着固定する方法があるが、取り付け方法や用いられる材質は問わず付近に落ちている棒切れ等を用い固定することもできる。
【００１５】
本体の形成について、図６で示す様に、台形状Ｊにすることもできる。ただし、試験設置からは、本案実施図７で示す本体の先端部１０でジャンボタニシを含めたゴミを跳ね飛ばす様にして下流に押し流している様を見た時、本案実施の半円形状が望ましい。
【００１６】
本体下部の進入防止部Ｆについて（図５参照）、用水路（Ｕ時講Ｂや取水ますＭ）の側壁Hは、共に底に対して数パーセントの傾斜をもって形成されていることから、本体Aを設置した時、その数パーセント分、底部が開くことになる。
本案実施に於いては、本体そのものに進入防止部Fを設けたが、図４で示すように、隙間を埋めるため、下部をスカート状Gにして収めることもできる。
【００１７】
本体の上部について、上部は下部と違い、取水口ＣのシャッターＤの開閉のための空間Ｉが設けられている。                                                            
【符号の説明】
【００１８】
１，１’＝Ｅ    対の型枠材    
２，２’＝Ｅ’  対の型枠材  
３，３’        対の型枠材
４，４’        対の型枠材  
５，５’        対の型枠材
６，６’        対の型枠材                                                
８、９          伸縮自在の棒状の棒体                              
Ａ              半円形状の本体
Ｂ              Ｕ字講（用水路）
Ｃ              取水口
Ｄ              シャッター
Ｅ  （１，１’）  Ｅ’（２，２’）  本体の両端
Ｆ              本体の下部進入防止部
Ｇ              本体下部をスカート状にした進入防止部
Ｈ              側壁
Ｉ              本体上部空間
Ｊ              台形状に形成された本体
Ｋ              Ｕ字講及び取水ますの底
Ｌ              本体と取水ます底辺との開き
Ｍ              取水ます（用水路）
→              側壁からの反発力の力の方向
⇒              水田側からの吸水圧発生の水の流れの方向
Ｂ、Ｍ          用水路
１０            本体の最大幅の先端
１１            本体とのシャッターとの最大幅
【図１】
0003167910.tif 000003
【図２】
0003167910.tif 000004
【図３】
0003167910.tif 000005
【図４】
0003167910.tif 000006
【図５】
0003167910.tif 000007
【図６】
0003167910.tif 000008
【図７】
0003167910.tif 000009
【図８】
0003167910.tif 000010